(57)【特許請求の範囲】
【請求項１】
オーディオ機器の音量を操作する被操作部を表示する表示部と、
前記被操作部の操作に応じて前記オーディオ機器の音量を更新するパラメータ更新部と、
前記オーディオ機器に対して前記音量更新の可否を問い合わせる状態取得部と、
を備え、
前記問い合わせの結果に基づき、前記オーディオ機器が前記音量を更新できないと判断された場合、
前記パラメータ更新部は、前記オーディオ機器の音量を最大値に固定し、
前記表示部は、前記被操作部を前記最大値に操作された状態に固定して表示する
パラメータ制御装置。
【請求項２】
前記表示部は、マスタ機器を含む複数のオーディオ機器のそれぞれに対応付けられた複数の個別被操作部、および、前記マスタ機器にさらに対応づけられた連動被操作部を表示し、
前記パラメータ更新部は、
いずれかの前記個別被操作部が操作されたとき、該個別被操作部に対応付けられているオーディオ機器の音量を、その操作量に連動させて変化させ、
前記連動被操作部が操作されたとき、前記複数のオーディオ機器の音量のうち、前記最大値に固定されていないものを、前記操作量に連動させてそれぞれ変化させる
請求項１に記載のパラメータ制御装置。
【請求項３】
パラメータ制御装置と、該パラメータ制御装置と通信しスピーカを備えないオーディオ機器と、該オーディオ機器に接続されスピーカユニットと、該スピーカユニットの音量を更新する機能を有するスピーカ装置と、を有する機器システムであって、
前記パラメータ制御装置は、前記オーディオ機器の音量を操作する被操作部を表示する表示部と、前記被操作部の操作に応じて前記オーディオ機器に対して音量更新コマンドを送信するパラメータ更新部と、を備え、
前記オーディオ機器は、前記パラメータ制御装置から前記音量更新コマンドを受信したとき、前記スピーカ装置に対して音量の増減を指示するコマンドを送信して該スピーカ機器の音量を更新する
機器システム。
【請求項４】
前記パラメータ制御装置は、前記被操作部の操作に応じて前記オーディオ機器の音量を更新するパラメータ更新部と、前記オーディオ機器に対して前記音量の更新が可能であるかどうかを問い合わせる状態取得部を更に備え、
前記オーディオ機器は、前記スピーカ装置が接続されている場合、前記問い合わせに対して前記音量の更新が可能である旨の返答し、前記スピーカ装置が接続されていない場合、前記問い合わせに対して前記音量の更新が不可である旨の返答し、
前記パラメータ制御装置の状態取得部が、前記オーディオ機器から音量の更新が不可である旨の返答を取得した場合、前記パラメータ更新部は、前記音量を最大値に固定し、前記表示部は、前記被操作部を最大値に操作された状態に固定して表示する
請求項３に記載の機器システム。
【請求項５】
携帯端末装置の制御部を、
オーディオ機器の音量を操作する被操作部を表示する表示手段、前記被操作部の操作に応じて前記オーディオ機器の音量を更新するパラメータ更新手段、及び、前記オーディオ機器に対して前記音量更新の可否を問い合わせる状態取得手段、
として機能させるパラメータ制御プログラムであって、
前記問い合わせの結果に基づき、前記オーディオ機器が前記音量を更新できないと判断された場合、
前記パラメータ更新手段は、前記オーディオ機器の音量を最大値に固定し、
前記表示手段は、前記被操作部を前記最大値に操作された状態に固定して表示する
パラメータ制御プログラム。
【請求項６】
前記表示手段は、マスタ機器を含む複数のオーディオ機器のそれぞれに対応付けられた複数の個別被操作部、および、前記マスタ機器にさらに対応づけられた連動被操作部を表示し、
前記パラメータ更新手段は、
いずれかの前記個別被操作部が操作されたとき、該個別被操作部に対応付けられているオーディオ機器の音量を、その操作量に連動させて変化させ、
前記連動被操作部が操作されたとき、前記複数のオーディオ機器の音量のうち、前記最大値に固定されていないものを、前記操作量に連動させてそれぞれ変化させる
請求項５に記載のパラメータ制御プログラム。
【発明の詳細な説明】
【技術分野】
【０００１】
この発明は、相互接続された複数のオーディオ装置のボリューム値などのパラメータを制御するパラメータ制御装置、およびパラメータ制御プログラムに関する。
【背景技術】
【０００２】
従来、例えばＤＬＮＡ（Ｄｉｇｉｔａｌ  Ｌｉｖｉｎｇ  Ｎｅｔｗｏｒｋ  Ａｌｌｉａｎｃｅ）のように、家庭内でオーディオ装置、携帯端末などの電子装置間のネットワークを可能とするガイドラインが種々策定されている。
【０００３】
このようなネットワークに複数のオーディオ装置が接続されている場合、例えば、音楽ソースのようなオーディオソースを複数のオーディオ機器で同期再生することが可能である。また、ネットワークに接続されたスマートフォン等の端末装置をリモートコントローラとして使用し、複数のオーディオ機器を操作することも可能である（たとえば特許文献１参照）。
【先行技術文献】
【非特許文献】
【０００４】
【特許文献１】特開２０１５‐１０００８５号公報
【発明の開示】
【発明が解決しようとする課題】
【０００５】
ネットワークに接続された複数のオーディオ機器でオーディオソースを同期再生している場合、例えば、複数のオーディオ機器のボリューム値を一律に上下させたり、各オーディオ機器のボリューム値を個別に微調整したい場合がある。
【０００６】
その一方で、接続された複数のオーディオ機器の中には、例えば、ボリューム値を調整できないオーディオ機器が含まれている場合がある。スマートフォン等の端末装置をリモートコントローラとして使用する場合には、例えば、ボリューム値を調整できないオーディオ機器が含まれているような組み合わせにも、リモートコントローラを対応させる必要がある。
【０００７】
この発明は、相互接続された複数のオーディオ機器の中に、例えば、ボリューム値のようなパラメータを調整できないオーディオ機器が含まれているような場合にも対応可能な、パラメータ制御装置およびパラメータ制御プログラムを提供することを目的とする。
【課題を解決するための手段】
【０００８】
本発明の第１の側面によって提供されるパラメータ制御装置は、オーディオ機器の音量を操作する被操作部を表示する表示部と、前記被操作部の操作に応じて前記オーディオ機器の音量を更新するパラメータ更新部と、前記オーディオ機器に対して前記音量更新の可否を問い合わせる状態取得部と、を備え、前記問い合わせの結果に基づき、前記オーディオ機器が前記音量を更新できないと判断された場合、前記パラメータ更新部は、前記オーディオ機器の音量を最大値に固定し、前記表示部は、前記被操作部を前記最大値に操作された状態に固定して表示することを特徴とする。
【０００９】
上記発明において、前記表示部は、マスタ機器を含む複数のオーディオ機器のそれぞれに対応付けられた複数の個別被操作部、および、前記マスタ機器にさらに対応づけられた連動被操作部を表示し、前記パラメータ更新部は、いずれかの前記個別被操作部が操作されたとき、該個別被操作部に対応付けられているオーディオ機器の音量を、その操作量に連動させて変化させ、前記連動被操作部が操作されたとき、前記複数のオーディオ機器の音量のうち、前記最大値に固定されていないものを、前記操作量に連動させてそれぞれ変化させてもよい。
【００１１】
本発明の第２の側面によって提供される機器システムは、パラメータ制御装置と、該パラメータ制御装置と通信しスピーカを備えないオーディオ機器と、該オーディオ機器に接続されスピーカユニットと、該スピーカユニットの音量を更新する機能を有するスピーカ装置と、を有する機器システムであって、前記パラメータ制御装置は、前記オーディオ機器の音量を操作する被操作部を表示する表示部と、前記被操作部の操作に応じて前記オーディオ機器に対して音量更新コマンドを送信するパラメータ更新部と、を備え、前記オーディオ機器は、前記パラメータ制御装置から前記音量更新コマンドを受信したとき、前記スピーカ装置に対して音量の増減を指示するコマンドを送信して該スピーカ機器の音量を更新することを特徴とする。
【００１２】
上記発明において、前記パラメータ制御装置は、前記被操作部の操作に応じて前記オーディオ機器の音量を更新するパラメータ更新部と、前記オーディオ機器に対して前記音量の更新が可能であるかどうかを問い合わせる状態取得部を更に備え、前記オーディオ機器は、前記スピーカ装置が接続されている場合、前記問い合わせに対して前記音量の更新が可能である旨の返答し、前記スピーカ装置が接続されていない場合、前記問い合わせに対して前記音量の更新が不可である旨の返答し、前記パラメータ制御装置の状態取得部が、前記オーディオ機器から音量の更新が不可である旨の返答を取得した場合、前記パラメータ更新部は、前記音量を最大値に固定し、前記表示部は、前記被操作部を最大値に操作された状態に固定して表示するようにしてもよい。
【００１４】
本発明の第３の側面によって提供されるパラメータ制御プログラムは、携帯端末装置の制御部を、オーディオ機器の音量を操作する被操作部を表示する表示手段、前記被操作部の操作に応じて前記オーディオ機器の音量を更新するパラメータ更新手段、及び、前記オーディオ機器に対して前記音量更新の可否を問い合わせる状態取得手段、として機能させるパラメータ制御プログラムであって、前記問い合わせの結果に基づき、前記オーディオ機器が前記音量を更新できないと判断された場合、前記パラメータ更新手段は、前記オーディオ機器の音量を最大値に固定し、前記表示手段は、前記被操作部を前記最大値に操作された状態に固定して表示することを特徴とする。
【００１５】
上記発明において、前記表示手段は、マスタ機器を含む複数のオーディオ機器のそれぞれに対応付けられた複数の個別被操作部、および、前記マスタ機器にさらに対応づけられた連動被操作部を表示し、前記パラメータ更新手段は、いずれかの前記個別被操作部が操作されたとき、該個別被操作部に対応付けられているオーディオ機器の音量を、その操作量に連動させて変化させ、前記連動被操作部が操作されたとき、前記複数のオーディオ機器の音量のうち、前記最大値に固定されていないものを、前記操作量に連動させてそれぞれ変化させるようにしてもよい。
【発明の効果】
【００１６】
この発明によれば、相互接続された複数のオーディオ機器の中に、例えば、ボリューム値のようなパラメータを調整できないオーディオ機器が含まれているような場合にも対応させることができる。
【図面の簡単な説明】
【００１７】
【図１】この発明が適用される携帯電話機および複数のオーディオ機器で構成されるオーディオシステムのブロック図
【図２】携帯電話機とオーディオシステムコントローラプログラムの協働で構成されるオーディオシステムコントローラの機能ブロック図
【図３】オーディオシステムコントローラの画面表示の一例を示す図
【図４】オーディオシステムコントローラの画面表示の一例を示す図
【図５】スライド操作によりボリューム制御を行う状態を説明する図
【図６】スライド操作によりボリューム制御を行う状態を説明する図
【図７】スライド操作によりボリューム制御を行う状態を説明する図
【図８】オーディオシステムコントローラの画面表示の一例を示す図
【図９】オーディオシステムコントローラの画面表示の一例を示す図
【図１０】オーディオシステムコントローラの画面表示の一例を示す図
【図１１】オーディオシステムコントローラの画面表示の一例を示す図
【図１２】オーディオシステムコントローラの画面表示の一例を示す図
【図１３】オーディオシステムコントローラの画面表示の一例を示す図
【発明を実施するための形態】
【００１８】
図１は、この発明が適用される端末装置である携帯電話機１、複数のオーディオ機器３Ａ、３Ｂ、及び３Ｃを有するオーディオシステム２００の一例を示す図である。オーディオシステム２００は、複数のオーディオ機器３Ａ、３Ｂ、３Ｃ、オーディオ配信サーバ７、スピーカシステム６０、及び携帯電話機１を含んでいる。複数のオーディオ機器３Ａ、３Ｂ、３Ｃ、オーディオ配信サーバ７、及び携帯電話機１は、ネットワーク６に接続されている。ネットワーク６は、例えば、１つの建物内の複数の部屋に設置されたオーディオ機器を相互に接続するネットワークである。各オーディオ機器３Ａ、３Ｂ、３Ｃは、オーディオシステムコントローラ（コントローラ）として機能する携帯電話機１によって制御される。オーディオ機器３Ａには、スピーカシステム６０が接続されている。コントローラは、オーディオ機器３Ａを経由して、スピーカシステム６０のボリューム等を制御することが可能である。また、オーディオ機器３Ａは、スピーカシステム６０が接続されていない状態でも（ボリューム制御ができない）オーディオ機器として動作する。オーディオ機器３Ａ、３Ｂ、３Ｃが、本発明の被制御機器に対応し、スピーカシステム６０が、本発明の従属機器に対応する。
【００１９】
オーディオシステム２００では、複数のオーディオ機器３Ａ、３Ｂ、及び３Ｃが、音楽ソース等のオーディオソースをそれぞれ別々に再生することができるが、この実施形態では、オーディオ機器３Ａ、３Ｂ、及び３Ｃが、同じオーディオソースを同期して再生する同期再生グループを構築している場合について説明する。同期再生グループでは、１台のオーディオ機器がマスタ機器、他のオーディオ機器がスレーブ機器として動作する。マスタ機器は、グループを代表してオーディオソースを再生し、その再生されたオーディオ信号をスレーブのオーディオ機器にネットワーク６を介して送信する。同期再生グループの設定／変更、および、いずれかのオーディオ機器へのマスタ機器の割り当ては、ユーザが携帯電話１（コントローラ）を操作して行うことができる。
【００２０】
本実施形態では、オーディオ機器３Ａにマスタ機器としての機能が割り当てられている場合と、スレーブ機器としての機能が割り当てられている場合の、両方について説明し、さらに、オーディオ機器３Ａにスピーカシステム６０が接続されている場合（オーディオ機器３Ａでボリューム制御が可能な場合）と、オーディオ機器３Ａにスピーカシステム６０が接続されていない場合（オーディオ機器３Ａでボリューム制御が不可の場合）の両方について説明する。
【００２１】
尚、同期再生グループは、ネットワークに接続されている複数のオーディオ機器の全てで構成されている必要はなく、選択された一部のオーディオ機器群で構成されてもよい。例えば、ネットワークに接続されている３台のオーディオ機器３Ａ、３Ｂ、及び３Ｃのうち、２台のオーディオ機器３Ａ、及び３Ｂで同期再生グループが構成されてもよい。また、４台以上のオーディオ機器によって同期再生グループが構成されてもよい。
【００２２】
オーディオ配信サーバ７は、音楽ソースなどのオーディオソースの保存や配信が可能なネットワークストレージである。オーディオ配信サーバ７には、オーディオ機器３Ａ、３Ｂ、及び３Ｃが再生する音楽ソース等が保存されている。オーディオ機器３Ａ、３Ｂ、及び３Ｃは、オーディオソースの一つとしてオーディオ配信サーバ７を選択可能である。同期再生グループにおいては、マスタ機器がオーディオ配信サーバ７から受信したオーディオソースをグループ内のオーディオ機器で同期再生することが可能である。
【００２３】
オーディオ機器３Ａは、制御部１０、操作部表示部１１、ネットワーク通信部１２、ＣＤ再生部１３、プリアンプ１４、コネクタ１５、及びイヤホンジャック１６を備えている。オーディオ機器３Ａは、スピーカを備えていないため、オーディオソースを再生しても、オーディオ機器３Ａ単体では放音することはできない。また、音量（ボリューム値）を調整するためのコントロールアンプも備えていないため、ボリューム調整機能も有していない。
【００２４】
制御部１０は、オーディオ機器３Ａの機能を制御し、また、ネットワーク６を介してオーディオ機器３Ｂ、３Ｃを制御する。制御部１０は、ネットワーク通信部１２を介してネットワーク６に接続されている。制御部１０には、コネクタ１５及びケーブル１５Ａを介してスピーカシステム６０が接続されている。制御部１０は、オーディオ配信サーバ７から受信した音楽ソースを再生して得られたオーディオ信号をスピーカシステム６０に出力する。操作部表示部１１は、オーディオソースの選択等、オーディオ機器３Ａの機能を選択あるいは調整するための操作部を表示する。
【００２５】
ＣＤ再生部１３は、音楽ソースなどのオーディオソースを記録したＣＤ（Ｃｏｍｐａｃｔ  Ｄｉｓｃ）を再生可能である。オーディオ機器３Ａがマスタ機器の場合、ＣＤに記憶されたオーディオソースをグループに所属するオーディオ機器３Ａ、３Ｂ、及び３Ｃで同期再生することが可能である。
【００２６】
プリアンプ１４は、オーディオソースを再生して得られる微弱なオーディオ信号を伝送および処理可能なレベルに増幅する。プリアンプ１４は、オーディオ機器３Ａの音量（ボリューム値）を調整する機能は備えていない。
【００２７】
イヤホンジャック１６は、プリアンプ１４に接続されている。イヤホンジャック１６にイヤホンを接続することにより、オーディオ機器３Ａからのオーディオ信号に基づいて音声を出力することができる。尚、オーディオ機器３Ａはボリューム調整機能を備えていないため、オーディオ機器３Ａ単体ではイヤホンの音量を調整することはできない。
【００２８】
スピーカシステム６０は、オーディオ機器３Ａに接続されることにより、オーディオ機器３Ａからのオーディオ信号に基づいて音声を放音可能である。スピーカシステム６０は、コントロールアンプ６１、パワーアンプ６２、及びスピーカ６３を備えている。コントロールアンプ６１は、オーディオ機器３Ａで放音する音声のボリューム値及び音質を調整する。パワーアンプ６２は、コントロールアンプ６１からの出力を受けて電力増幅を行ってスピーカ６３を駆動する。尚、スピーカ６３は、スピーカシステム６０に含まれるとしたが、スピーカ６３は外付けのスピーカであってもよい。
【００２９】
ケーブル１５Ａは、オーディオケーブル、コントロールケーブルを含んでいる。オーディオケーブルは、プリアンプ１４によって増幅されたオーディオ信号をスピーカシステム６０のコントロールアンプ６１に供給する。コントロールケーブルは、スピーカシステム６０の制御部（コントロールアンプ６１）とオーディオ機器３Ａの制御部１０とを接続する。制御部１０は、コントロールアンプ６１に対してボリューム調整、音質調整などのコマンドを送信し、コントロールアンプ６１は、現在のボリューム、音質などの設定内容を制御部１０に返信する。これにより、オーディオ機器３Ａの制御部１０は、ケーブル１５Ａを介してスピーカシステム６０のボリューム調整をすることができ、且つスピーカシステム６０のボリューム設定値を知ることができる。
【００３０】
オーディオ機器３Ｂ、及び３Ｃは、レシーバ４Ｂ、及び４Ｃを有している。レシーバ４Ｂ、及び４Ｃはそれぞれ、ネットワーク６に接続されている。レシーバ４Ｂ、及び４Ｃには、スピーカ５Ｂ、及び５Ｃが接続されている。スピーカ５Ｂ、及び５Ｃは、オーディオ配信サーバ７から受信したオーディオソース、又は、ＣＤ再生部１３で再生されたオーディオソースに基づいて、音声を放音する。
【００３１】
携帯電話機１はいわゆるスマートフォンと言われる機種が好適である。携帯電話機（スマートフォン）１は、携帯通信網である３Ｇ／４Ｇ通信機能を有するとともに、無線ＬＡＮ（Ｗｉ−Ｆｉ）通信機能を有しており、Ｗｉ−Ｆｉルータ５を介してネットワーク６に接続されている。
【００３２】
携帯電話機１は、アプリケーションプログラム（アプリ）であるオーディオシステムコントローラプログラム５０（以下、単にプログラム５０とする）を起動することにより、図２に示すオーディオシステムコントローラ１００（以下、単にコントローラ１００とする）として機能し、ユーザの操作に応じて、ネットワーク６経由でオーディオ機器３Ａ、３Ｂ、及び３Ｃを制御する。その制御機能は、オーディオソースの選択、電源のオン／オフ、ボリューム（音量）値の上下などである。コントローラ１００におけるボリューム値の制御は、コントローラ１００に表示されるスライダ４１８に対するスライド操作によって行われる。また、コントローラ１００が制御部１０に対してコマンドを送信し、制御部１０がレシーバ４Ｂ及び４Ｃを制御するようにしてもよい。
【００３３】
携帯電話機１の構成を詳細に説明する。携帯電話機１は、バス２６上に、制御部２０、操作部３０、メディアインタフェース３１、Ｗｉ−Ｆｉ通信回路３２および３Ｇ／４Ｇ通信回路３３を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は、液晶のディスプレイを含み、待ち受け画面や電話番号などを表示する。また、後述のコントローラ１００の画面も表示部４１に表示される。音声プロセッサ２５には、Ｄ／Ａコンバータを含むアンプ４２が接続され、アンプ４２にはスピーカ４３が接続されている。
【００３４】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、プログラム５０が起動された場合には、ＣＰＵ２１の指示に従ってオーディオシステムコントローラの画像を生成し、これをＶＲＡＭ４０上に展開する。ＶＲＡＭ４０上に展開された画像は表示部４１に表示される。
【００３５】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ４３に出力する。
【００３６】
Ｗｉ−Ｆｉ通信回路３２は、Ｗｉ−Ｆｉルータ５との間でＩＥＥＥ８０２．１１ｇ規格の無線通信を行い、制御部１０、４Ｂ、及び４Ｃなどのネットワーク６上の機器とデータやメッセージの送受信を行う。制御部１０、４Ｂ、及び４Ｃとの間は、ＤＬＮＡ（Ｄｉｇｉｔａｌ  Ｌｉｖｉｎｇ  Ｎｅｔｗｏｒｋ  Ａｌｌｉａｎｃｅ）に類して規定されたフォーマットでメッセージを交換する。３Ｇ／４Ｇ通信回路３３は、携帯電話通信網を介して、音声通話およびデータ通信を行う。データ通信によってアプリケーションプログラムのダウンロードが行われる。なお、アプリケーションプログラムは、３Ｇ／４Ｇ通信でダウンロードするのみならず、Ｗｉ−Ｆｉ通信やＵＳＢなどのインタフェース経由で取得するようにしてもよい。
【００３７】
操作部３０は、表示部４１上に形成されたタッチパネルを含み、タッチパネルに対するタッチ操作やスライド操作等を検出する。メディアインタフェース３１にはメモリカード４４が接続される。メモリカード４４は、たとえばマイクロＳＤカードである。３Ｇ／４Ｇ通信回路３３によってサーバからダウンロードされたアプリケーションプログラムは、メモリカード４４またはＲＯＭ２２に保存される。この携帯電話機１では、プログラム５０（アプリケーションプログラム）がメモリカード４４に保存されている。
【００３８】
プログラム５０は、プログラム本体に加えてプログラムの実行に必要なデータを含んでいる。プログラムの実行に必要なデータは、たとえば、コマンドテーブルなどである。コマンドテーブルは、オーディオ機器３Ａ、３Ｂ及び３Ｃに対する制御内容とその制御内容を表すコマンドを対応づけたテーブルである。コマンドテーブルには、制御部１０、レシーバ４Ｂ、及び４Ｃの電源をオン／オフする、音量を上げる／下げる、オーディオソースとして、オーディオ配信サーバ７／ＣＤ再生部１３を選択する、などのコマンドが記憶されている。
【００３９】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２０がプログラム５０を実行する際に使用されるワークエリアが設定される。ワークエリアには、たとえば、各種データのタイマエリア、カウンタエリア、フラグエリアなどが設けられる。
【００４０】
携帯電話機１は、メモリカード４４に保存されているプログラム５０との協働によって、図２に示すようなコントローラ１００を構成し、Ｗｉ−Ｆｉ経由で制御部１０にコマンドメッセージを送信して制御部１０を制御する。レシーバ４Ｂ及び４Ｃの制御は、制御部１０を介して行われる。
【００４１】
図２の機能ブロック図を参照して、携帯電話機１（ハードウェア）にプログラム５０が読み込まれることによって実現されるコントローラ１００について説明する。コントローラ１００は、操作画面表示部１１０、操作検出部１２０、メッセージ編集送信部１３０および状態取得部１４０を有している。
【００４２】
操作画面表示部１１０は、制御部２０、ＶＲＡＭ４０、表示部４１およびプログラム５０の協働によって実現され、携帯電話機１の表示部４１に、各種の操作画面を表示する。
【００４３】
操作検出部１２０は、制御部２０、操作部３０およびプログラム５０の協働によって実現される。操作検出部１２０は、表示部４１に表示された操作画面に対する操作、たとえば、タッチ操作やスライド操作を検出する。操作検出部１２０で検出された操作情報は、操作画面表示部１１０、メッセージ編集送信部１３０などに入力される。
【００４４】
メッセージ編集送信部１３０は、制御部２０、Ｗｉ−Ｆｉ通信回路３２およびプログラム５０の協働によって実現される。メッセージ編集送信部１３０は、操作検出部１２０から入力された操作情報に基づき、その操作情報に対応するコマンドをコマンドテーブルから読み出してコマンドメッセージを編集する。そして、そのコマンドメッセージを制御部１０、レシーバ４Ｂ、及び４Ｃに送信する。メッセージ編集送信部１３０は、本発明のパラメータ更新部に相当する。
【００４５】
状態取得部１４０は、制御部２０、Ｗｉ−Ｆｉ通信回路３２およびプログラム５０の協働によって実現される。状態取得部１４０は、制御部１０、レシーバ４Ｂ、及び４Ｃに対して問い合わせを行い、オーディオ機器３Ａ、３Ｂ、３Ｃの動作状態を取得する。動作状態とは、オーディオ機器３Ａ、３Ｂ、３Ｃのそれぞれについて、そのとき選択可能あるいは調整可能な項目、および機器の接続状態などである。選択可能な項目とは、例えば入力ソースであり、調整可能な項目とは、例えばボリューム値である。この問い合わせは、コントローラ１００の起動時または制御部１０、レシーバ４Ｂ、及び４Ｃの起動時、および、適宜（たとえば５秒毎、コマンドメッセージの送信直後など）に行われる。
【００４６】
オーディオ機器３Ａにスピーカシステム６０が接続された状態では、状態取得部１４０からオーディオ機器３Ａに動作状態の問い合わせが行われると、オーディオ機器３Ａは、スピーカシステム６０が接続されている旨、あるいは、ボリューム値の調整が可能である旨を状態取得部１４０に返信する。これにより、状態取得部１４０によってオーディオ機器３Ａの動作状態が取得される。また、オーディオ機器３Ａにスピーカシステム６０が接続されていない状態では、状態取得部１４０からオーディオ機器３Ａへの動作状態問い合わせに対し、スピーカシステム６０が接続されていない旨、あるいは、オーディオ機器３Ａは、ボリューム値の調整が不可である旨を状態取得部１４０に返信する。これにより、状態取得部１４０においてオーディオ機器３Ａの動作状態が取得される。状態取得部１４０で取得された、ボリューム調整の可否についての情報は、操作画面４００の表示に反映される（例えば、図３、図１０参照）。尚、スピーカシステム６０のスピーカ６３が外付けのスピーカである場合、オーディオ機器３Ａに接続されているか否を判断されるのはアンプシステム（６１，６２）となる。
【００４７】
図３から図１３は、操作画面表示部１１０によって表示される操作画面４００の例を示す図である。本実施形態では、操作画面４００の表示は、オーディオ機器３Ａにマスタ機器としての機能が割り当てられている場合と、スレーブ機器としての機能が割り当てられている場合とで異なる。また、オーディオ機器３Ａにスピーカシステム６０が接続されてオーディオ機器３Ａのボリューム値が調整可能である場合と、オーディオ機器３Ａにスピーカシステム６０が接続されておらずオーディオ機器３Ａのボリューム値が調整不可である場合とでも異なる。そこで以下のように４つの場合に分けて操作画面４００の表示について説明する。
１．オーディオ機器３Ａがマスタ機器であり、かつ、オーディオ機器３Ａのボリューム調整が可能である場合
２．オーディオ機器３Ａがスレーブ機器であり、かつ、オーディオ機器３Ａのボリューム調整が可能である場合
３．オーディオ機器３Ａがマスタ機器であり、かつ、オーディオ機器３Ａのボリューム調整が不可である場合
４．オーディオ機器３Ａがスレーブ機器であり、かつ、オーディオ機器３Ａのボリューム調整が不可である場合
【００４８】
［１．オーディオ機器３Ａがマスタ機器であり、かつ、オーディオ機器３Ａのボリューム調整が可能である場合］
まず、オーディオ機器３Ａにマスタ機器としての機能が割り当てられており、かつ、オーディオ機器３Ａにスピーカシステム６０が接続されてオーディオ機器３Ａのボリューム値が調整可能である場合について説明する。
【００４９】
図３は、操作画面４００に現在のマスタ機器であるオーディオ機器３Ａの再生制御画面４１０１が表示されている状態を示している。操作画面４００は表示部４１に表示されている。ユーザは、表示部４１に重ねられたタッチパネル（操作部３０）で操作画面４００を操作することができる。タッチパネル（操作部３０）には、表示部４１上のタッチ操作やスライド操作（タッチしたまま移動する操作）の位置を把握するため、座標軸が設定されている。本実施形態では、タッチパネル（操作部３０）の図示左上を原点とし、原点から図示右方にＸ軸、原点から図示下方にＹ軸をそれぞれ設定している。タッチ操作やスライド操作は、手指がタッチパネル（操作部３０）に接触している位置の座標の変化として把握される。なお、以下の説明では、図３に図示した姿勢の方向（上下左右）で表示部４１内の部品の位置を説明する。
【００５０】
再生制御画面４１０１には、選択されたオーディオソースに対応付られた画像４１１、再生ボタン群４１２、棒グラフ表示エリア４１４、棒グラフ４１５、スライダ表示エリア４１７、及びスライダ４１８が表示されている。尚、再生制御画面４１０１に棒グラフ表示エリア４１４、棒グラフ４１５、スライダ表示エリア４１７、及びスライダ４１８が表示されるのは、オーディオ機器３Ａのボリューム調整が可能な場合である。オーディオ機器３Ａのボリューム調整が不可の場合には、棒グラフ表示エリア４１４、棒グラフ４１５、スライダ表示エリア４１７、及びスライダ４１８は表示されない（図１０参照）。
【００５１】
再生ボタン群４１２は、再生・停止ボタン、早送りボタン、巻き戻しボタンを有している。各ボタンのタッチ操作が操作検出部１２０によって検出され、その操作情報がメッセージ編集送信部１３０に伝達される。メッセージ編集送信部１３０は、再生ボタンがタップされると、そのときの再生状態に応じて再生開始コマンドまたは停止コマンドがオーディオ機器３Ａの制御部１０に送信される。また、早送りボタンがタップ（タッチ）されると、そのときの再生状態に応じて次曲コマンドまたは早送りコマンドがオーディオ機器３Ａの制御部１０に送信される。また、巻き戻しボタンがタップされると、そのときの再生状態に応じて前曲コマンドまたは巻き戻しコマンドが送信される。
【００５２】
棒グラフ表示エリア４１４には、棒グラフ４１５が表示される。棒グラフ４１５は、ボリューム値を表すグラフである。棒グラフ４１５は、棒グラフ表示エリア４１４の左端を原点として、ボリューム値が上昇するのに応じて右方（Ｘ軸の正の方向）に伸び、ボリューム値が下降するのに応じて左方（Ｘ軸の負の方向）に縮む。ボリューム値は、棒グラフ４１５の右端の位置によって表される。
【００５３】
スライダ表示エリア４１７は、棒グラフ表示エリア４１４の全体をカバーしており、そのときのボリューム値またはユーザの操作に応じた位置にスライダ４１８が表示される。
【００５４】
スライダ４１８は、スライド操作によってボリューム値を上昇及び下降させるためのものである。図３では、スライダ４１８は、棒グラフ４１５の右端部に重ねて配置されている。ユーザのスライド操作により、スライダ４１８をＸ軸に沿って右方及び左方に移動させることが可能である。スライダ４１８を右方に移動させるとオーディオ機器３Ａのボリューム値は上昇し、スライダ４１８を左方に移動させるとオーディオ機器３Ａのボリューム値は下降する。
【００５５】
スライダ４１８がユーザによって右方または左方にスライド操作されると、そのスライド操作の操作情報が操作検出部１２０によって検出され、メッセージ編集送信部１３０、及び操作画面表示部１１０に伝達される。メッセージ編集送信部１３０は、ボリューム値更新のコマンドメッセージを編集してオーディオ機器３Ａの制御部１０に送信する。操作画面表示部１１０は、操作内容に応じて、棒グラフ表示エリア４１４、及びスライダ表示エリア４１７の表示内容を更新する。
【００５６】
図４は、オーディオ機器３Ａ、３Ｂ、及び３Ｃのボリューム値を個別又は連動させて調整するボリューム制御画面４１２１が表示された状態を示している。ボリューム制御画面４１２１は、同期再生グループのボリューム制御を行う場合に表示される。図４では、ボリューム制御画面４１２１は、再生制御画面４１０１の上に重なるように表示されている。
【００５７】
ボリューム制御画面４１２１は、同期制御表示領域４１２Ｓ、及び個別制御表示領域４１２Ａ、４１２Ｂ、４１２Ｃを有している。
【００５８】
同期制御表示領域４１２Ｓには、棒グラフ表示エリア４１４Ｓ、棒グラフ４１５Ｓ、スライダ表示エリア４１７Ｓ、及びスライダ４１８Ｓが表示されている。スライダ４１８Ｓを操作することにより、オーディオ機器３Ａ、３Ｂ、及び３Ｃのボリューム値を同期制御することが可能である。スライダ４１８Ｓは、本発明の連動被操作部に相当する。尚、同期制御表示領域４１２Ｓに同期制御のための画像が表示されるのは、マスタ機器のボリューム調整が可能な場合である。マスタ機器のボリューム調整が不可の場合には、同期制御表示領域４１２Ｓには画像は表示されない（図１１参照）。
【００５９】
個別制御表示領域４１２Ａには、マスタ機器のボリューム値を個別制御するための画像が表示される。図４では、オーディオ機器３Ａにマスタ機器の機能が割り当てられているため、オーディオ機器３Ａのボリューム値を個別制御するための画像が表示されている。個別制御表示領域４１２Ａには、棒グラフ表示エリア４１４Ａ、棒グラフ４１５Ａ、スライダ表示エリア４１７Ａ、及びスライダ４１８Ａが表示されている。スライダ４１８Ａを操作することにより、オーディオ機器３Ａのボリューム値を個別制御することが可能である。本実施形態では、オーディオ機器３Ａが居間（ＬｉｖｉｎｇＲｏｏｍ）に設置されている設定になっている。スライダ４１８Ａは、本発明の個別被操作部に相当する。
【００６０】
尚、オーディオ機器３Ａにマスタ機器の機能が割り当てられている場合でも、オーディオ機器３Ａのボリューム調整が不可の場合には、個別制御表示領域４１２Ａの棒グラフ４１５Ａ、及びスライダ４１８Ａは表示されない（図１１参照）。
【００６１】
個別制御表示領域４１２Ｂ、及び４１２Ｃには、スレーブ機器のボリューム値を個別制御するための画像が表示される。図４では、個別制御表示領域４１２Ｂには、オーディオ機器３Ｂのボリューム値を個別制御するための画像が表示され、個別制御表示領域４１２Ｃには、オーディオ機器３Ｃのボリューム値を個別制御するための画像が表示されている。
【００６２】
個別制御表示領域４１２Ｂには、棒グラフ表示エリア４１４Ｂ、棒グラフ４１５Ｂ、スライダ表示エリア４１７Ｂ、及びスライダ４１８Ｂが表示されている。スライダ４１８Ｂを操作することにより、オーディオ機器３Ｂのボリューム値を個別制御することが可能である。本実施形態では、オーディオ機器３Ｂがキッチン（Ｋｉｔｃｈｅｎ）に設置されている設定になっている。スライダ４１８Ｂは、本発明の個別被操作部に相当する。
【００６３】
個別制御表示領域４１２Ｃには、棒グラフ表示エリア４１４Ｃ、棒グラフ４１５Ｃ、スライダ表示エリア４１７Ｃ、及びスライダ４１８Ｃが表示されている。スライダ４１８Ｃを操作することにより、オーディオ機器３Ｃのボリューム値を個別制御することが可能である。本実施形態では、オーディオ機器３Ｃが寝室（Ｂｅｄｒｏｏｍ）に設置されている設定になっている。スライダ４１８Ｃは、本発明の個別被操作部に相当する。
【００６４】
同期制御表示領域４１２Ｓの表示についてより詳しく説明する。同期制御表示領域４１２Ｓの棒グラフ表示エリア４１４Ｓには、現在のオーディオ機器３Ａのボリューム値に対応した長さの棒グラフ４１５Ｓが表示される。
【００６５】
棒グラフ４１５Ｓは、棒グラフ表示エリア４１４Ｓの左端を原点として、ボリューム値が上昇するのに応じて右方（Ｘ軸の正の方向）に伸び、ボリューム値が下降するのに応じて左方（Ｘ軸の負の方向）に縮む。
【００６６】
スライダ表示エリア４１７Ｓは、棒グラフ表示エリア４１４Ｓの全体をカバーしており、そのときのボリューム値またはユーザの操作に応じた位置にスライダ４１８Ｓが表示される。
【００６７】
スライダ４１８Ｓは、スライド操作によってボリューム値を上昇及び下降させるためのものである。図４では、スライダ４１８Ｓは、棒グラフ４１５Ｓの右端に重ねて配置されている。ユーザのスライド操作により、スライダ４１８ＳをＸ軸に沿って右方及び左方に移動させることが可能である。スライダ４１８Ｓを右方に移動させるとボリューム値は上昇し、スライダ４１８Ｓを左方に移動させるとボリューム値は下降する。
【００６８】
スライダ４１８Ｓがユーザによって右方または左方にスライド操作されると、そのスライド操作の操作情報が操作検出部１２０によって検出され、メッセージ編集送信部１３０、及び操作画面表示部１１０に伝達される。メッセージ編集送信部１３０は、ボリューム値更新のコマンドメッセージを編集して制御部１０に送信する。操作画面表示部１１０は、操作内容に応じて、棒グラフ表示エリア４１４Ｓ、及びスライダ表示エリア４１７Ｓの表示内容を更新する。
【００６９】
個別制御表示領域４１２Ａ、４１２Ｂ、及び４１２Ｃは、それぞれオーディオ機器３Ａ、３Ｂ、及び３Ｃに対応している。個別制御表示領域４１２Ａ、４１２Ｂ、及び４１２Ｃの表示は、同期制御表示領域４１２Ｓの表示と共通しているため、詳細な説明は省略する。
【００７０】
次に、図５から図７を参照して、本実施形態のコントローラ１００によってオーディオ機器３Ａ、３Ｂ、及び３Ｃのボリューム値を一律（同期）、又は個別に上昇及び下降させる制御について説明する。
【００７１】
まず、図５を参照して、同期制御によってオーディオ機器３Ａ、３Ｂ、及び３Ｃのボリューム値を一律に制御する場合について説明する。図５では、同期制御表示領域４１２Ｓの連動被操作部であるスライダ４１８ＳをＸ軸に沿って右方にスライド操作して、ボリューム値を上昇させる操作の例を示している。
【００７２】
図５では、スライダ４１８Ｓは、ユーザの手指Ｆによるスライド操作に伴ってボリューム上昇方向（右方）へ移動し、棒グラフ４１５Ｓもスライダ４１８Ｓの移動に伴ってボリューム上昇方向へ伸びている。スライダ４１８Ｓのボリューム上昇方向への移動量をＶＳ１とする。
【００７３】
スライダ４１８Ｓがボリューム上昇方向（右方）へ移動するのに伴って、個別制御表示領域４１２Ａ、４１２Ｂ、４１２Ｃの個別被操作部であるスライダ４１８Ａ、４１８Ｂ、及び４１８Ｃもボリューム上昇方向（右方）へ一律に移動する。スライダ４１８Ａ、４１８Ｂ、及び４１８Ｃの移動量をそれぞれＶＡ１、ＶＢ１、及びＶＣ１とすると、ＶＡ１、ＶＢ１、及びＶＣ１は、スライダ４１８Ｓの移動量ＶＳ１と等しい（ＶＡ１＝ＶＢ１＝ＶＣ１＝ＶＳ１）。つまり、個別被操作部であるスライダ４１８Ａ、４１８Ｂ、及び４１８Ｃの移動は、連動被操作部であるスライダ４１８Ｓの移動に連動している。また、棒グラフ４１５Ａ、４１５Ｂ、及び４１５Ｃも、それぞれスライダ４１８Ａ、４１８Ｂ、及び４１８Ｃの移動に伴ってボリューム上昇方向へ伸びている。
【００７４】
ユーザがスライダ４１８Ｓに対するスライド操作を終了すると、ボリューム値の同期制御は終了する。オーディオ機器３Ａ、３Ｂ、及び３Ｃのボリューム値は、スライダ４１８Ｓの操作を停止した時点において確定する。
【００７５】
このように、連動被操作部であるスライダ４１８Ｓを操作することにより、ネットワークに接続されたオーディオ機器３Ａ、３Ｂ、及び３Ｃのボリューム値を一律に制御することができる。
【００７６】
次に、図６を参照して、マスタ機器であるオーディオ機器３Ａのボリューム値を個別に制御する場合について説明する。図６では、個別被操作部であるスライダ４１８ＡをＸ軸に沿って右方にスライド操作して、オーディオ機器３Ａのボリューム値を上昇させる操作の例を示している。
【００７７】
図６では、スライダ４１８Ａは、ユーザの手指Ｆによるスライド操作に伴ってボリューム上昇方向（右方）へ移動し、棒グラフ４１５Ａもスライダ４１８Ａの移動に伴ってボリューム上昇方向へ伸びている。スライダ４１８Ａのボリューム上昇方向への移動量をＶＡ２とする。
【００７８】
スライダ４１８Ａがボリューム上昇方向（右方）へ移動するのに伴って、連動被操作部であるスライダ４１８Ｓもボリューム上昇方向（右方）へ移動する。スライダ４１８Ｓの移動量をＶＳ２とすると、移動量ＶＳ２は、スライダ４１８Ａの移動量ＶＡ２と等しくなっている（ＶＡ２＝ＶＳ２）。また、棒グラフ４１５Ｓも、スライダ４１８Ｓの移動に伴ってボリューム上昇方向へ伸びている。
【００７９】
つまり、マスタ機器であるオーディオ機器３Ａのボリューム値は、スライダ４１８Ａ及びグラフ４１５Ａの移動量に対応して上昇する。また、マスタ機器に対応するスライダ４１８Ａが操作された場合、これに対応して、連動被操作部であるスライダ４１８Ｓもスライダ４１８Ａと同じ移動量でボリューム上昇方向（右方）へ移動する。
【００８０】
ユーザがスライダ４１８Ａに対するスライド操作を終了すると、オーディオ機器３Ａのボリューム値の個別制御は終了する。オーディオ機器３Ａのボリューム値は、スライダ４１８Ａの操作を停止した時点において確定する。
【００８１】
このように、個別被操作部であるスライダ４１８Ａを操作することにより、ネットワークに接続されたオーディオ機器３Ａ、３Ｂ、及び３Ｃのうち、対応するオーディオ機器３Ａのボリューム値を個別に制御することができる。このため、オーディオ機器３Ａのボリューム値だけを調整することができる。
【００８２】
また、マスタ機器であるオーディオ機器３Ａに対応するスライダ４１８Ａを操作すると、連動被操作部であるスライダ４１８Ｓは、スライダ４１８Ａに追従して移動する。このため、マスタ機器のスライダ４１８Ａと、同期制御のためのスライダ４１８Ｓの位置を一致させることができる。
【００８３】
次に、図７を参照して、スレーブ機器であるオーディオ機器３Ｂのボリューム値を個別に制御する場合について説明する。図７では、個別被操作部であるスライダ４１８ＢをＸ軸に沿って右方にスライド操作して、オーディオ機器３Ｂのボリューム値を上昇させる操作の例を示している。
【００８４】
図７では、スライダ４１８Ｂは、ユーザのスライド操作に伴ってボリューム上昇方向（右方）へ移動し、棒グラフ４１５Ｂもスライダ４１８Ｂの移動に伴ってボリューム上昇方向へ伸びている。スライダ４１８Ｂのボリューム上昇方向への移動量をＶＢ３とする。
【００８５】
スライダ４１８Ｂをボリューム上昇方向（右方）へ移動させても、他のスライダ４１８Ｓ、４１８Ａ及び４１８Ｃは移動しない。
【００８６】
つまり、スレーブ機器であるオーディオ機器３Ｂのボリューム値は、スライダ４１８Ｂ及びグラフ４１５Ｂの移動量に対応して上昇するが、他のスライダ４１８Ｓ、４１８Ａ及び４１８Ｃは移動せず、オーディオ機器３Ａ、及び３Ｃのボリューム値は変化しない。
【００８７】
ユーザがスライダ４１８Ｂに対するスライド操作を終了すると、オーディオ機器３Ｂのボリューム値の個別制御は終了する。オーディオ機器３Ｂのボリューム値は、スライダ４１８Ｂの操作を停止した時点において確定する。
【００８８】
このように、個別被操作部であるスライダ４１８Ｂを操作することにより、ネットワークに接続されたオーディオ機器３Ａ、３Ｂ、及び３Ｃのうち、スライダ４１８Ｂに対応したオーディオ機器３Ｂのボリューム値を個別に制御することができる。このため、オーディオ機器３Ｂのボリューム値だけを調整することができる。
【００８９】
また、スレーブ機器であるオーディオ機器３Ｂに対応するスライダ４１８Ｂを操作しても、連動被操作部であるスライダ４１８Ｓ、及びオーディオ機器３Ａ、３Ｃに対応するスライダ４１８Ａ及び４１８Ｃは移動しない。このため、同期再生グループを構成するオーディオ機器３Ａ、３Ｂ、及び３Ｃのボリューム値の相対関係を変化させることができる。
【００９０】
尚、詳細な説明は省略するが、スレーブ機器であるオーディオ機器３Ｃに対応するスライダ４１８Ｃを操作した場合には、オーディオ機器３Ｃのボリューム値のみが制御され、他のスライダ４１８Ｓ、４１８Ａ及び４１８Ｂは移動しない。
【００９１】
スライダ４１８（４１８Ｓ、４１８Ａ、４１８Ｂ、４１８Ｃ）の操作よって、オーディオ機器のボリューム値が上昇または下降されると、このボリューム値の変化は、メッセージ編集送信部１３０により、コマンドメッセージとして対応するオーディオ機器に送信される。
【００９２】
［２．オーディオ機器３Ａがスレーブ機器であり、かつ、オーディオ機器３Ａのボリューム調整が可能である場合］
次に、オーディオ機器３Ａにスレーブ機器としての機能が割り当てられており、かつ、オーディオ機器３Ａにスピーカシステム６０が接続されてオーディオ機器３Ａのボリューム値が調整可能である場合について説明する。マスタ機器の機能は、オーディオ機器３Ｂに割り当てられているものとする。
【００９３】
図８は、操作画面４００に現在のマスタ機器であるオーディオ機器３Ｂの再生制御画面４１０２が表示されている状態を示している。オーディオ機器３Ｂは、ボリューム調整可能であるため、再生制御画面４１０２に棒グラフ４１５、及びスライダ４１８が表示されている。スライダ４１８を右方に移動させるとオーディオ機器３Ｂのボリューム値は上昇し、スライダ４１８を左方に移動させるとオーディオ機器３Ｂのボリューム値は下降する。
【００９４】
図９は、オーディオ機器３Ａ、３Ｂ、及び３Ｃのボリュームを個別又は連動させて調整するボリューム制御画面４１２２が表示された状態を示している。ボリューム制御画面４１２２は、同期再生グループのボリューム制御を行う場合に表示される。
【００９５】
ボリューム制御画面４１２２は、同期制御表示領域４１２Ｓ、及び個別制御表示領域４１２Ａ、４１２Ｂ、４１２Ｃを有している。
【００９６】
マスタ機器であるオーディオ機器３Ｂは、ボリューム調整が可能である。このため、同期制御表示領域４１２Ｓに同期制御のための画像が表示されている。
【００９７】
個別制御表示領域４１２Ａには、マスタ機器のボリューム値を個別制御するための画像が表示される。図９では、オーディオ機器３Ｂにマスタ機器の機能が割り当てられているため、オーディオ機器３Ｂのボリューム値を個別制御するための画像が表示されている。
【００９８】
個別制御表示領域４１２Ｂ、及び４１２Ｃには、スレーブ機器のボリューム値を個別制御するための画像が表示される。図９では、個別制御表示領域４１２Ｂには、オーディオ機器３Ａのボリューム値を個別制御するための画像が表示され、個別制御表示領域４１２Ｃには、オーディオ機器３Ｃのボリューム値を個別制御するための画像が表示されている。スライダ４１８Ｂ及びスライダ４１８Ｃを個別に操作することにより、オーディオ機器３Ａ及び３Ｃのボリューム値を個別制御することが可能である。
【００９９】
［３．オーディオ機器３Ａがマスタ機器であり、かつ、オーディオ機器３Ａのボリューム調整が不可である場合］
次に、オーディオ機器３Ａにマスタ機器としての機能が割り当てられており、かつ、オーディオ機器３Ａにスピーカシステム６０が接続されておらずオーディオ機器３Ａのボリューム値が調整不可である場合について説明する。
【０１００】
図１０は、操作画面４００に現在のマスタ機器であるオーディオ機器３Ａの再生制御画面４１０３が表示されている状態を示している。オーディオ機器３Ａのボリューム調整は不可であるため、再生制御画面４１０３には、ボリュームを調整するための棒グラフ、及びスライダは表示されていない。一方、オーディオ機器３Ａの音楽ソースの再生・停止等は可能であるため、再生ボタン群４１２は表示されている。
【０１０１】
図１１は、オーディオ機器３Ｂ、及び３Ｃのボリュームを個別又は連動させて調整するボリューム制御画面４１２３が表示された状態を示している。ボリューム制御画面４１２３は、同期再生グループのボリューム制御を行う場合に表示される。
【０１０２】
ボリューム制御画面４１２３は、同期制御表示領域４１２Ｓ、及び個別制御表示領域４１２Ａ、４１２Ｂ、４１２Ｃを有している。
【０１０３】
マスタ機器であるオーディオ機器３Ａは、ボリューム調整が不可である。このため、同期制御表示領域４１２Ｓには、同期制御のための画像が表示されていない。尚、同期制御のための画像が表示されていない場合でも、ボリューム調整以外の項目、例えば、Ｂｌｕｅｔｏｏｔｈ（登録商標）送信設定メニューや、スリープタイマの設定メニューを表示させることは可能である。
【０１０４】
個別制御表示領域４１２Ａには、マスタ機器のボリューム値を個別制御するための画像が表示されるが、マスタ機器であるオーディオ機器３Ａはボリューム調整が不可である。このため、図１１では、個別制御表示領域４１２Ａにオーディオ機器３Ａのボリューム値を個別制御するための画像は表示されていない。この場合、オーディオ機器３Ａのボリューム値は０ｄＢ（最大ボリューム値）に固定される。
【０１０５】
個別制御表示領域４１２Ｂ、及び４１２Ｃには、スレーブ機器のボリューム値を個別制御するための画像が表示される。図１１では、個別制御表示領域４１２Ｂには、オーディオ機器３Ａのボリューム値を個別制御するための画像が表示され、個別制御表示領域４１２Ｃには、オーディオ機器３Ｃのボリューム値を個別制御するための画像が表示されている。スライダ４１８Ｂ及びスライダ４１８Ｃを個別に操作することにより、オーディオ機器３Ａ及び３Ｃのボリューム値を個別制御することが可能である。
【０１０６】
このように、状態取得部１４０による問い合わせに基づいて、選択又は調整不可の項目（ボリューム値）については表示させず、選択又は調整可能な項目（音楽ソースの再生・停止等）については表示させることにより、選択又は調整できる項目が異なる複数のオーディオ機器３Ａ、３Ｂ、３Ｃが組み合わされている場合でも、オーディオシステムコントローラ１００を対応させることができる。
【０１０７】
［４．オーディオ機器３Ａがスレーブ機器であり、かつ、オーディオ機器３Ａのボリューム調整が不可である場合］
次に、オーディオ機器３Ａにスレーブ機器としての機能が割り当てられており、かつ、オーディオ機器３Ａにスピーカシステム６０が接続されておらずオーディオ機器３Ａのボリューム値が調整不可である場合について説明する。マスタ機器の機能は、オーディオ機器３Ｂに割り当てられているものとする。
【０１０８】
図１２は、操作画面４００に現在のマスタ機器であるオーディオ機器３Ｂの再生制御画面４１０４が表示されている状態を示している。オーディオ機器３Ｂのボリューム調整は可能であるため、再生制御画面４１０２に棒グラフ４１５、及びスライダ４１８が表示されている。スライダ４１８を右方に移動させるとオーディオ機器３Ｂのボリューム値は上昇し、スライダ４１８を左方に移動させるとオーディオ機器３Ｂのボリューム値は下降する。
【０１０９】
図１３は、オーディオ機器３Ｂ、及び３Ｃのボリューム値を個別又は連動させて調整するボリューム制御画面４１２４が表示された状態を示している。ボリューム制御画面４１２４は、同期再生グループのボリューム制御を行う場合に表示される。
【０１１０】
ボリューム制御画面４１２２は、同期制御表示領域４１２Ｓ、及び個別制御表示領域４１２Ａ、４１２Ｂ、４１２Ｃを有している。
【０１１１】
マスタ機器であるオーディオ機器３Ｂは、ボリューム調整が可能である。このため、同期制御表示領域４１２Ｓに同期制御のための画像が表示されている。
【０１１２】
個別制御表示領域４１２Ａには、マスタ機器のボリューム値を個別制御するための画像が表示される。図１３では、オーディオ機器３Ｂにマスタ機器の機能が割り当てられているため、オーディオ機器３Ｂのボリューム値を個別制御するための画像が表示されている。
【０１１３】
個別制御表示領域４１２Ｂ、及び４１２Ｃには、スレーブ機器のボリューム値を個別制御するための画像が表示される。図１３では、オーディオ機器３Ａのボリューム調整が不可であるため、個別制御表示領域４１２Ｂには、オーディオ機器３Ａのボリューム値を個別制御するための画像は表示されていない。この場合、オーディオ機器３Ａのボリューム値は０ｄＢ（最大ボリューム値）に固定されており、マスタスライダ４１８Ｓが操作されてもボリューム値が変化しない。個別制御表示領域４１２Ｃには、オーディオ機器３Ｃのボリューム値を個別制御するための画像が表示されている。スライダ４１８Ｃを操作することにより、オーディオ機器３Ｃのボリューム値を個別制御することが可能である。
【０１１４】
このように、状態取得部１４０による問い合わせに基づいて、選択又は調整不可の項目（ボリューム値）については表示させず、選択又は調整可能な項目（音楽ソースの再生・停止等）については表示させることにより、選択又は調整できる項目が異なる複数のオーディオ機器３Ａ、３Ｂ、３Ｃが組み合わされている場合でも、オーディオシステムコントローラ１００を対応させることができる。
【０１１５】
上記の実施形態では、ボリューム制御不可であるオーディオ機器のボリュームスライダ等の画像を表示しないようにしているが、最大ボリューム値（０ｄＢ）に固定されたボリュームスライダ等の画像をグレイアウト（操作不可）状態で表示してもよい。また、ボリューム制御不可の場合の固定値は、最大ボリューム値または０ｄＢに限定されない。
【０１１６】
上記実施形態では、本発明が適用される端末装置として携帯電話機１を例示しているが、端末装置は携帯電話機１に限定されない。たとえば、タブレット、専用のコントローラ端末装置であってもよい。
【０１１７】
この実施形態では、ボリューム値を例に上げたが、連動又は個別に上昇／下降させるべきパラメータであれば、他のどのようなパラメータに適用することも可能である。
【符号の説明】
【０１１８】
１  携帯電話機
３Ａ、３Ｂ、３Ｃ  オーディオ機器
４Ｂ、４Ｃ  レシーバ
１０    制御部
４１    表示部
５０    オーディオシステムコントローラプログラム
１００  オーディオシステムコントローラ
２００  オーディオシステム
【図１】
0006668661.tif 000002
【図２】
0006668661.tif 000003
【図３】
0006668661.tif 000004
【図４】
0006668661.tif 000005
【図５】
0006668661.tif 000006
【図６】
0006668661.tif 000007
【図７】
0006668661.tif 000008
【図８】
0006668661.tif 000009
【図９】
0006668661.tif 000010
【図１０】
0006668661.tif 000011
【図１１】
0006668661.tif 000012
【図１２】
0006668661.tif 000013
【図１３】
0006668661.tif 000014